(57)【要約】【課題】  小型であるとともに、ＬＥＤの冷却効率および音響特性の良好なプロジェクタを提供する。【解決手段】  光源１０Ｒ、１０Ｇ、１０Ｂと、光源１０Ｒ、１０Ｇ、１０Ｂからの光を変調する光変調手段４０Ｒ、４０Ｇ、４０Ｂと、光変調手段４０Ｒ、４０Ｇ、４０Ｂによって変調された光を投射する投射手段５０とを備えたプロジェクタ１であって、音波を放射する音波発生手段６１と、放射された音波の進行方向を拡散させる音波拡散手段６５と、を備え、音波拡散手段６５が光源１０Ｒ、１０Ｇ、１０Ｂと熱的に接続され、光源１０Ｒ、１０Ｇ、１０Ｂにおいて発生した熱を外部に放出することを特徴とする。【選択図】  図１
2005121740.tif 000002
【特許請求の範囲】
【請求項１】
光源と、該光源からの光を変調する光変調手段と、該光変調手段によって変調された光を投射する投射手段とを備えたプロジェクタであって、
音波を放射する音波発生手段と、放射された音波の進行方向を拡散させる音波拡散手段と、を備え、
前記音波拡散手段が前記光源と熱的に接続され、前記光源において発生した熱を外部に放出することを特徴とするプロジェクタ。
【請求項２】
前記音波拡散手段が、凹部が形成された複数の平板を、所定の間隔で重ねて形成した多葉体であって、
前記凹部の開口方向が、前記音波発生手段から放射された音波の伝播方向と略同一となるように多葉体が配置されていることを特徴とする請求項１記載のプロジェクタ。
【請求項３】
前記音波拡散手段が、凸部が形成された複数の平板を、所定の間隔で重ねて形成した多葉体であって、
前記凸部の突出方向が、前記音波発生手段から放射された音波の伝播方向と略同一となるように前記多葉体が配置されていることを特徴とする請求項１記載のプロジェクタ。
【請求項４】
前記音波拡散手段が、複数の円環板をその内径が順に大きくまたは小さくなるように並べ、所定の間隔で重ねて形成した多葉体であって、
前記音波発生手段が、前記多葉体の内径が最も小さい前記円環板と対向するように配置されていることを特徴とする請求項１記載のプロジェクタ。
【請求項５】
前記音波拡散手段と前記光源との間には冷媒が封入され循環する冷却管が配置され、
前記光源と、前記音波拡散手段と、前記冷却管と、が熱的に接続されていることを特徴とする請求項１から４のいずれかに記載のプロジェクタ。
【請求項６】
前記音波発生手段から音波を放射し、音波により前記音波拡散手段近傍の空気を攪拌、ポンピングすることを特徴とする請求項１から５のいずれかに記載のプロジェクタ。
【請求項７】
前記音波発生手段が、所定の時間間隔で音波を放射することを特徴とする請求項１から６のいずれかに記載のプロジェクタ。
【請求項８】
前記音波発生手段が、可聴域よりも低い周波数の音波を放射することを特徴とする請求項１から記載のプロジェクタ。
【発明の詳細な説明】
【技術分野】
【０００１】
本発明は、プロジェクタに関する。
【背景技術】
【０００２】
従来のプロジェクタ（投射型表示装置）では、その光源として、古くはハロゲンランプ、近年は高輝度高効率である高圧水銀ランプ（ＵＨＰ）が多く用いられてきた。放電型のランプであるＵＨＰを用いた光源は高圧の電源回路を要し、大型で重く、プロジェクタの小型軽量化の妨げになっていた。また、ハロゲンランプよりは寿命が長いものの依然短寿命である他、光源の制御（高速の点灯、消灯、変調）が略不可能で、また立ち上げに数分という長い時間を要していた。
【０００３】
そこで最近、新しい光源としてＬＥＤが注目されている。ＬＥＤは超小型・超軽量、長寿命である。また、駆動電流の制御によって、点灯・消灯、出射光量の調整が自由にできる。この点でプロジェクタの光源としても有望であり、既に小型・携帯用の小画面プロジェクタへの応用開発が始まっている。
プロジェクタの光源は一般に高輝度な光源が求められているため、ＬＥＤにおいては、高輝度を得るため、大きな電流が流されている。しかしながら、ＬＥＤに大きな電流を流して高輝度を得ようとすると、ＬＥＤの温度が上昇し、これによる発光効率の低下、さらには熱によりＬＥＤ発光部が破壊されてしまう恐れがあった。そのため、ＬＥＤを冷却するさまざまな技術が提案されてきた（例えば、特許文献１および２参照。）。
【特許文献１】特開平６−５９２３号公報
【特許文献２】特開平８−１１６１３８号公報
【発明の開示】
【発明が解決しようとする課題】
【０００４】
上記の特許文献１および２に例示するように、従来のプロジェクタにおいては、ＬＥＤを液体の冷媒で冷却する方法が提案されている。しかし、冷媒を用いても熱をＬＥＤから移動させた後、最終的には大気に熱を放出しなければならない。この熱の放出部には放熱効率を高めるため、フィンや、ファンなどが設けられているが、フィンや、ファンなどを設けるためスペースが必要になり、プロジェクタの小型化を図りにくくしているという問題があった。
【０００５】
一方、近年のホームシアターへの関心の高まりから、プロジェクタの音響性能が重要視されつつある。プロジェクタに内蔵されるスピーカは、左右のスピーカの配置間隔が稼げないため、良好な音響特性を享受できる領域が制限されてしまうという問題があった。この問題は特に指向性の高い高音用スピーカ（ツィータ）において顕著であった。
【０００６】
本発明は、上記の課題を解決するためになされたものであって、小型であるとともに、ＬＥＤの冷却効率および音響特性の良好なプロジェクタを提供することを目的とする。
【課題を解決するための手段】
【０００７】
上記目的を達成するために、本発明のプロジェクタは、光源と、光源からの光を変調する光変調手段と、光変調手段によって変調された光を投射する投射手段とを備えたプロジェクタであって、音波を放射する音波発生手段と、放射された音波の進行方向を拡散させる音波拡散手段と、を備え、音波拡散手段が光源と熱的に接続され、光源において発生した熱を外部に放出することを特徴とする。
【０００８】
すなわち、本発明のプロジェクタは、音波拡散手段が光源において発生した熱の放熱部も兼ねているため、音波拡散手段および光源の放熱部の両者をそれぞれ設けるスペースを確保する必要がない。そのため、プロジェクタの小型化を図ることができる。
また、音波拡散手段が、音波を拡散させる作用および光源で発生した熱を放熱させる作用を兼ね備えているため、音波拡散手段を大型化することでき、光源の冷却効率を高めるとともにプロジェクタの音響特性を向上させることができる。
【０００９】
上記の構成を実現するために、より具体的には、音波拡散手段が、凹部が形成された複数の平板を、所定の間隔で重ねて形成した多葉体であって、凹部の開口方向が音波発生手段から放射された音波の伝播方向と略同一となるように多葉体が配置されていてもよい。
この構成によれば、音波拡散手段が、複数の平板を所定の間隔で重ねて形成した多葉体であるため、外部の空気との接触面積（熱交換面積）が広くなり、熱交換効率を向上させることができる。
また、多葉体中を伝播する音波の伝播速度は、平板の近傍領域では空気の粘性などの影響で遅くなり、凹部では平板がないため上記粘性の影響を受けず遅くならない。そのため、音波の伝播方向は凹部を中心として拡散し、プロジェクタの音響特性を向上させることができる。
【００１０】
上記の構成を実現するために、より具体的には、音波拡散手段が、凸部が形成された複数の平板を、所定の間隔で重ねて形成した多葉体であって、凸部の突出方向が音波発生手段から放射された音波の伝播方向と略同一となるように多葉体が配置されていてもよい。
この構成によれば、音波拡散手段は光源の熱も放出するため、平板にも熱が伝わり平板の温度も高くなり、平板に接する空気の温度も高くなる。音波の伝播速度は、空気の温度が高くなると早くなるため、凸部の中央部領域における音波の伝播速度が速くなり、両脇部領域における音波の伝播速度が比較的遅くなる。そのため、音波の伝播方向は凸部を中心として拡散し、プロジェクタの音響特性を向上させることができる。
【００１１】
上記の構成を実現するために、より具体的には、音波拡散手段が、複数の円環板をその内径が順に大きくまたは小さくなるように並べ、所定の間隔で重ねて形成した多葉体であって、音波発生手段が多葉体の内径が最も小さい円環板と対向するように配置されていてもよい。
この構成によれば、音波拡散手段が、複数の円環板を所定の間隔で重ねて形成した多葉体であるため、外部の空気との接触面積（熱交換面積）が広くなり、熱交換効率を向上させることができる。
また、多葉体中を伝播する音波の伝播速度は、円環板の近傍領域では空気の粘性などの影響で遅くなり、円環板の略中央部には円環板がないため上記粘性の影響を受けず遅くならない。そのため、音波の伝播方向は円環板の略中央部を中心として拡散し、プロジェクタの音響特性を向上させることができる。
【００１２】
上記の構成を実現するために、より具体的には、音波拡散手段と光源との間には冷媒が封入され循環する冷却管が配置され、光源と、音波拡散手段と、冷却管と、が熱的に接続されていることが望ましい。
この構成によれば、音波拡散手段と光源との間に、冷媒が封入された冷却管を配置しているので、音波拡散手段と光源とを離して配置して光源で発生した熱を音波拡散手段で放熱することができる。つまり、音波拡散手段と光源との配置自由度が向上し、プロジェクタの小型化を図るのに好適である。
【００１３】
上記の構成を実現するために、より具体的には、音波発生手段から音波を放射し、音波により音波拡散手段近傍の空気を攪拌、ポンピングしてもよい。
この構成によれば、音波拡散手段近傍の空気は、音波発生手段から放射された音波により攪拌、ポンピングされているので、音波拡散手段の熱交換効率を向上させることができる。
また、ファンなど新しい要素を追加していないため、新たに搭載用のスペースを設ける必要がなく、プロジェクタの小型および光源の冷却効率向上を図ることができる。
【００１４】
上記の構成を実現するために、より具体的には、音波発生手段が所定の時間間隔で音波を放射してもよい。
この構成によれば、所定の時間間隔で、音波発生手段から音波が放射されるので、音波拡散手段近傍の空気を所定の間隔で攪拌、ポンピングすることができる。そのため、音波拡散手段の熱交換効率の低下を防止することができる。
【００１５】
上記の構成を実現するために、より具体的には、音波発生手段が可聴域よりも低い周波数の音波を放射してもよい。
この構成によれば、音波発生手段から放射される音波が可聴域より低い音波であるため、プロジェクタの音響特性を悪化させることなく、音波拡散手段近傍の空気を攪拌、ポンピングすることができる。
【発明を実施するための最良の形態】
【００１６】
〔第１の実施の形態〕
以下、本発明における第１の実施の形態について図１から図３を参照して説明する。
図１は、本実施の形態におけるプロジェクタの構成を示す概略構成図である。
本実施形態に係るプロジェクタ１は、図１に示すように、３板式の液晶プロジェクタであり、それぞれＲ（赤）、Ｇ（緑）、Ｂ（青）の色光を出射可能な光源１０Ｒ、１０Ｇ、１０Ｂと、各色光の照度分布を均一化するフライアイレンズ３０と、照度分布を均一化された各色光を変調する透過型の液晶ライトバルブ（光変調装置）４０Ｒ、４０Ｇ、４０Ｂと、変調された色光を合成しカラー画像とするクロスダイクロイックプリズム４５と、カラー画像を投射する投射レンズ（投射手段）５０と、音波を空気中に放射するスピーカ装置６０と、これらを内部に収納する筐体７０と、から概略構成されている。
【００１７】
光源１０Ｒ、１０Ｇ、１０Ｂは、それぞれＲ、Ｇ、Ｂの色光を出射可能なＬＥＤチップをアレイ状に配置して構成され、光源１０Ｒ、１０Ｇ、１０Ｂの背面（色光出射面と逆の面）には、ＬＥＤチップにおいて発生した熱を後述する多葉体６５へと輸送するヒートパイプ（冷却管）１１の吸熱部１１ａが熱的に接続されている。ヒートパイプ１１は、内部に冷媒が封入され、冷媒が循環可能に構成された管である。ヒートパイプ１１の一端（吸熱部）に熱を加えると、冷媒をその熱を吸収して気化し他端（放熱部）へ移動する。他端に移動した気化冷媒は、放熱部において熱を放出して液化し再び吸熱部へ移動する。
フライアイレンズ３０は、第１のフライアイレンズ３１および第２のフライアイレンズ３２から構成され、第１のフライアイレンズ３１が光源１０Ｒ、１０Ｇ、１０Ｂ側に配置され、第２のフライアイレンズ３２が液晶ライトバルブ４０Ｒ、４０Ｇ、４０Ｂ側に配置されている。
【００１８】
液晶ライトバルブ４０Ｒ、４０Ｇ、４０Ｂには、画素スイッチング用素子として薄膜トランジスタ（Ｔｈｉｎ  Ｆｉｌｍ  Ｔｒａｎｓｉｓｔｏｒ、以下、ＴＦＴと略記する）を用いたＴＮ（Ｔｗｉｓｔｅｄ  Ｎｅｍａｔｉｃ）モードのアクティブマトリクス方式の透過型の液晶セルが使用されている。
クロスダイクロイックプリズム４５は、図１に示すように、４つの直角プリズムが貼り合わされた構造を有し、その貼り合わせ面４６ａ、４６ｂには誘電体多層膜からなる光反射膜（図示略）が十字状に形成されている。具体的には、貼り合わせ面４６ａには、液晶ライトバルブ４０Ｒで形成された赤色の画像光を反射し、それぞれ液晶ライトバルブ４０Ｇ、４０Ｂで形成された緑色及び青色の画像光を透過する光反射膜が設けられ、貼り合わせ面４６ｂには、液晶ライトバルブ４０Ｂで形成された青色の画像光を反射し、それぞれ液晶ライトバルブ４０Ｒ、４０Ｇで形成された赤色及び緑色の画像光を透過する光反射膜が設けられている。
【００１９】
図２は、本実施の形態に係るスピーカ装置の部分斜視図である。
スピーカ装置６０は、図１および図２に示すように、音波を空気中に放射するスピーカ（音波発生手段）６１と、スピーカ６１を制御する制御部６２と、スピーカ６１から放出された音波を拡散させる多葉体（音波拡散手段）６５とから概略構成されている。
多葉体６５は所定の間隔で重ねた複数枚の平板６６から形成され、スピーカ６１から放射された音波の伝播方向と平板６６の面方向とが略平行となるように配置されている。また、多葉体６５の平板６６には、上述したヒートパイプ１１の放熱部１１ｂが熱的に接続されるように配置されている。
平板６６には、音波の伝播方向に向かって開口する放物線状の凹部６７が、平板６６の辺の略中央に形成されている。なお、平板６６は熱伝導率の高い金属材料などで形成されることが望ましい。
【００２０】
次に、上記の構成からなるプロジェクタ１における作用について説明する。
光源１０Ｒ、１０Ｇ、１０Ｂから出射された各色光Ｒ、Ｇ、Ｂは、図１に示すように、フライアイレンズ３０に入射される。各色光は、第１のフライアイレンズ３１および第２のフライアイレンズ３２を透過することで各色光の密度分布に関係なく液晶ライトバルブ４０Ｒ、４０Ｇ、４０Ｂ全面に均一な密度で照射される。
液晶ライトバルブ４０Ｒ、４０Ｇ、４０Ｂに入射された各色光は、プロジェクタ１に入力される画像信号に基づいて変調されてクロスダイクロイックプリズム４５に向けて出射される。変調された各色光は、クロスダイクロイックプリズム４５において重ね合わされてカラー画像に変換され、投射レンズ５０によってスクリーン５５に投射される。
【００２１】
光源１０Ｒ、１０Ｇ、１０Ｂからは各色光Ｒ、Ｇ、Ｂが出射されるとともに、熱も放出される。光源１０Ｒ、１０Ｇ、１０Ｂから放出された熱はヒートパイプ１１の吸熱部１１ａに吸収され、ヒートパイプ１１の冷媒により放熱部１１ｂに輸送される。熱は放熱部１１ｂから多葉体６５の平板６６に伝えられ、平板６６から空気に放熱される。
【００２２】
図３は、本実施の形態に係る多葉体における音波の拡散を説明する図である。
スピーカ装置６０には、画像信号とともに外部から入力された音響信号が入力される。音響信号はスピーカ装置６０の制御部６２に入力され、制御部６２は音響信号に基づいてスピーカ６１を駆動する駆動信号をスピーカ６１に出力する。スピーカ６１は駆動信号に基づき音波を多葉体６５に向けて放出する。
放出された音波は、図３に示すように、多葉体６５の平板６６の間に伝播し、空気の粘性、粘性に起因する平板６６と音波との一種の摩擦などにより音波の伝播速度が若干低下する。平板６６間を伝播する音波は凹部６７に到達し、凹部６７内を伝播する音波は平板６６の影響がなくなるため伝播速度が若干速くなる。音波が多葉体６５を通過した時点で、伝播速度の違いから音波の形状は略凸形状となり、音波はスピーカ６１から放射された時より広い範囲に向かって伝播する。
また、音波は空気の粗密波であるので、音波が伝播すると空気も移動する。そのため音波が平板６６間を伝播と平板６６近傍領域の空気も攪拌、ポンピングされる。
【００２３】
なお、制御部６２は音響信号以外にも所定の間隔または連続的に可聴域外である低周波（略２０Ｈｚ以下）の音波をスピーカ６１から放射させてもよい。低周波の音波になると、音波による空気の移動量が大きくなり平板６６近傍領域の空気が攪拌、ポンピングされる量が大きくなる。さらに、プロジェクタ１の音響特性に悪影響を与えることもない。また、可聴域内の音波であっても、所定の時間間隔で散発的に音波をスピーカ６１から放射させてもよい。所定の時間間隔で音波を放出するため、プロジェクタ１の音響特性に与える影響が小さく、多葉体６５の熱交換効率の低下を防止することもできる。
【００２４】
上記の構成によれば、多葉体６５が光源１０Ｒ、１０Ｇ、１０Ｂにおいて発生した熱の放熱部も兼ねているため、多葉体６５および光源１０Ｒ、１０Ｇ、１０Ｂの放熱部の両者をそれぞれ設けるスペースを確保する必要がない。そのため、プロジェクタ１の小型化を図ることができる。
また、多葉体６５が、音波を拡散させる作用および光源１０Ｒ、１０Ｇ、１０Ｂで発生した熱を放熱させる作用を兼ね備えているため、多葉体６５を大型化することができ、光源１０Ｒ、１０Ｇ、１０Ｂの冷却効率を高めるとともにプロジェクタ１の音響特性を向上させることができる。
【００２５】
多葉体６５を複数の平板６６を所定の間隔で重ねて形成しているため、外部の空気との接触面積（熱交換面積）を広くすることができ、熱交換効率を向上させることができる。
また、凹部６７の開口方向がスピーカ６１から放射された音波の伝播方向と略同一であるため、多葉体６５を伝播した音波の伝播方向は凹部６７を中心として拡散し、プロジェクタ１の音響特性を向上させることができる。
【００２６】
多葉体６５と光源１０Ｒ、１０Ｇ、１０Ｂとの間に、ヒートパイプ１１を配置しているので、多葉体６５と光源１０Ｒ、１０Ｇ、１０Ｂとを離して配置して光源１０Ｒ、１０Ｇ、１０Ｂで発生した熱を多葉体６５で放熱することができる。つまり、多葉体６５と光源１０Ｒ、１０Ｇ、１０Ｂとの配置自由度が向上し、プロジェクタ１の小型化を図るのに好適である。
【００２７】
多葉体６５近傍の空気は、スピーカ６１から放射された音波により攪拌、ポンピングされているので、多葉体６５の熱交換効率を向上させることができる。
また、ファンなど新しい要素を追加していないため、新たに搭載用のスペースを設ける必要がなく、プロジェクタ１の小型および光源の冷却効率向上を図ることができる。
【００２８】
〔第２の実施の形態〕
次に、本発明における第２の実施の形態について図４および図５を参照して説明する。
本実施の形態に係るプロジェクタの基本構成は、第１の実施の形態と同様であるが、第１の実施の形態とは、スピーカ装置が異なっている。よって、本実施の形態においては、図４および図５を用いてスピーカ装置周辺のみを説明し、液晶ライトバルブ等の説明を省略する。
図４は、本実施の形態に係るスピーカ装置の部分斜視図である。
スピーカ装置７０は、図４に示すように、音波を空気中に放射するスピーカ６１と、スピーカ６１を制御する制御部６２と、スピーカ６１から放出された音波を拡散させる多葉体（音波拡散手段）７５とから概略構成されている。
多葉体７５は所定の間隔で重ねた複数枚の平板７６から形成され、スピーカ６１から放射された音波の伝播方向と平板７６の面方向とが略平行となるように配置されている。また、多葉体７５の平板７６には、上述したヒートパイプ１１の放熱部１１ｂが熱的に接続されるように配置されている。
平板７６には、音波の伝播方向に向かって放物線状に突出する凸部７７が、平板７６の辺の略中央に形成されている。なお、平板７６は熱伝導率の高い金属材料などで形成されることが望ましい。
【００２９】
図５は、本実施の形態に係る多葉体における音波の拡散を説明する図である。
次に、上記の構成からなるプロジェクタ１における作用について説明する。
画像の投射および光源１０Ｒ、１０Ｇ、１０Ｂにおいて発生した熱の放熱については第１の実施の形態と同様であるのでその説明を省略し、音波の拡散について説明する。
スピーカ装置７０には、画像信号とともに外部から入力された音響信号が入力される。音響信号はスピーカ装置７０の制御部６２に入力され、制御部６２は音響信号に基づいてスピーカ６１を駆動する駆動信号をスピーカ６１に出力する。スピーカ６１は駆動信号に基づき音波を多葉体７５に向けて放出する。
【００３０】
放出された音波は、図５に示すように、多葉体７５の平板７６の間に伝播する。音波の伝播速度（音速）ｖは、ｖ＝３３１．５＋０．６ｔ（ｔ：空気の温度（℃））で表されるように伝播する空気の温度の影響を受ける。平板７６近傍の空気は平板７６との熱交換により温度が上昇しているため、他の領域よりも音波の伝播速度が速くなる。平板７６間を伝播する音波が凸部７７に到達すると、凸部７７の間を伝播する音波の伝播速度は若干速いままで、凸部７７の外へ伝播した音波の伝播速度は空気の温度が下がることから若干遅くなる。そのため、音波が多葉体７５を通過した時点で、伝播速度の違いから音波の形状は略凸形状となり、音波はスピーカ６１から放射された時より広い範囲に向かって伝播する。
【００３１】
上記の構成によれば、平板７６に凸部７７を設け、平板７６がヒートパイプ１１の放熱部１１ｂと熱的に接続されているため、平板７６近傍領域を伝播する音波の速度が速くなり、音波の伝播方向は凸部７７を中心として拡散し、プロジェクタ１の音響特性を向上させることができる。
【００３２】
〔第３の実施の形態〕
次に、本発明における第３の実施の形態について図６および図７を参照して説明する。
本実施の形態に係るプロジェクタの基本構成は、第１の実施の形態と同様であるが、第１の実施の形態とは、スピーカ装置が異なっている。よって、本実施の形態においては、図６および図７を用いてスピーカ装置周辺のみを説明し、液晶ライトバルブ等の説明を省略する。
図６は、本実施の形態に係るスピーカ装置の部分斜視図である。
スピーカ装置８０は、図６に示すように、音波を空気中に放射するスピーカ６１と、スピーカ６１を制御する制御部６２と、スピーカ６１から放出された音波を拡散させる多葉体（音波拡散手段）８５とから概略構成されている。
【００３３】
多葉体８５は所定の間隔で重ねた複数枚の大きさの異なる円環板８６から形成され、スピーカ６１から放射された音波の伝播方向と円環板８６の面方向とが略直交するように配置されている。また、複数の円環板８６は、スピーカ６１に近づくにつれて大きさ、特に円環の内径が徐々に小さくなるように配置され、それらの中心はスピーカ６１の中心軸線上に配置されている。さらに、円環板８６には、上述したヒートパイプ１１の放熱部１１ｂが熱的に接続されるように配置されている。例えば、ヒートパイプ１１の放熱部１１ｂを円環状に形成し、円環板８６の面と接触するように配置してもよい。なお、円環板８６は熱伝導率の高い金属材料などで形成されることが望ましい。
【００３４】
図７は、本実施の形態に係る多葉体における音波の拡散を説明する図である。
次に、上記の構成からなるプロジェクタ１における作用について説明する。
画像の投射および光源１０Ｒ、１０Ｇ、１０Ｂにおいて発生した熱の放熱については第１の実施の形態と同様であるのでその説明を省略し、音波の拡散について説明する。
スピーカ装置８０には、画像信号とともに外部から入力された音響信号が入力される。音響信号はスピーカ装置８０の制御部６２に入力され、制御部６２は音響信号に基づいてスピーカ６１を駆動する駆動信号をスピーカ６１に出力する。スピーカ６１は駆動信号に基づき音波を多葉体８５に向けて放出する。
【００３５】
放出された音波は、図７に示すように、多葉体８５の円環板８６の中を伝播する。円環板８６の近傍領域を伝播する音波は、空気の粘性、粘性に起因する円環板８６と音波との一種の摩擦などにより音波の伝播速度が若干低下する。
円環板８６は、スピーカ６１から離れるにつれてそのサイズが大きくなるように配置されているため、音波の形状は伝播方向に対して略凸形状となり、音波はスピーカ６１から放射された時より広い範囲に向かって伝播する。
【００３６】
上記の構成によれば、多葉体８５が複数の円環板８６を所定の間隔で重ねて形成しているため、円環板８６と外部の空気との接触面積（熱交換面積）が広くなり、熱交換効率を向上させることができる。
また、円環板８６の近傍領域を伝播する音波は空気の粘性などの影響で伝播速度が遅くなり、円環板８６の略中央部には円環板がないため上記粘性の影響を受けず遅くならない。そのため、音波の伝播方向は円環板８６の略中央部を中心として拡散し、プロジェクタ１の音響特性を向上させることができる。
【００３７】
なお、本発明の技術範囲は上記実施形態に限定されるものではなく、本発明の趣旨を逸脱しない範囲において種々の変更を加えることが可能である。
なお、上記の実施の形態においては、この発明をプロジェクタに適応して説明したが、この発明はプロジェクタに限られることなく、その他リアプロジェクタなど、各種の投射装置に適応できるものである。
【図面の簡単な説明】
【００３８】
【図１】本発明の実施の形態におけるプロジェクタの構成を示す概略構成図である。
【図２】本実施の形態に係るスピーカ装置の部分斜視図である。
【図３】本実施の形態に係る多葉体における音波の拡散を説明する図である。
【図４】本実施の形態に係るスピーカ装置の部分斜視図である。
【図５】本実施の形態に係る多葉体における音波の拡散を説明する図である。
【図６】本実施の形態に係るスピーカ装置の部分斜視図である。
【図７】本実施の形態に係る多葉体における音波の拡散を説明する図である。
【符号の説明】
【００３９】
１・・・プロジェクタ、  １０Ｒ、１０Ｇ、１０Ｂ・・・光源、  １１・・・ヒートパイプ、  ４０Ｒ、４０Ｇ、４０Ｂ・・・液晶ライトバルブ（光変調装置）、  ５０・・・投射レンズ（投射手段）、  ６１・・・スピーカ（音波発生手段）、  ６５、７５、８５・・・多葉体（音波拡散手段）、  ６６、７６・・・平板、  ６７・・・凹部、  ７７・・・凸部、  ８６・・・円環板
【図１】
2005121740.tif 000003
【図２】
2005121740.tif 000004
【図３】
2005121740.tif 000005
【図４】
2005121740.tif 000006
【図５】
2005121740.tif 000007
【図６】
2005121740.tif 000008
【図７】
2005121740.tif 000009